(57)【特許請求の範囲】
【請求項１】
ユーザの位置まで輸送して保管することが可能な、収容された部品または複数の部品からなる設備を提供するシステムであって、
機材と、
前記機材に取りはずし可能に係合され、床に前記機材の複数の部分が通って挿入される複数の開口部を有するハウジングと、
支持体を含み、部品または複数の部品からなる設備と、を有し、
前記機材は、前記ハウジングの床中の複数の開口部を通って挿入された前記機材の複数の部分の上に設けられる前記支持体であって、前記ハウジングの内部と外部に配置されたポイント間で前記機材の長手方向の軸に沿っている前記支持体によって、前記設備の移動を受け入れ、
前記機材は、前記設備が前記ハウジング内部に配置された後で前記ハウジングから取り外され、前記機材の取り外しの結果として、前記設備の前記支持体は、前記機材の一部が挿入されて通過する前記ハウジングの床材中の開口部を閉鎖し、
前記ハウジングは、前記設備が前記ハウジング内部に配置された後の前記設備の輸送中における前記設備の輸送コンテナを形成しており、また前記ハウジングは、前記設備が前記ハウジング内部に配置されかつ前記設備が使用場所にあるときの前記設備のための恒久的ハウジングを形成していることを特徴とするシステム。
【請求項２】
前記収容された部品または複数の部品からなる設備は、プラント設備の燃料電池のバランスを含むことを特徴とする請求項１に記載のシステム。
【請求項３】
前記機材は、第１フレーム部と前記第１フレーム部の後方の第２フレーム部とを有し、
前記第１フレーム部および前記第２フレーム部のそれぞれは、前記ハウジングに対して前記支持体の移動を可能にする複数の回転可能な部材を有し、
前記第１フレーム部の回転可能な部材は、前記第１フレーム部が前記ハウジングをその上で支えるのを可能にするように前記ハウジングの床中の複数の開口部に挿入可能な前記機材の一部を形成することを特徴とする請求項１に記載のシステム。
【請求項４】
前記複数の回転可能な部材の複数の上側部分は、前記ハウジングに対して前記支持体が移動する移動軸を定めることを特徴とする請求項３に記載のシステム。
【請求項５】
前記機材の複数の部分が前記ハウジングの床材中の複数の開口部に挿入されている場合に、前記設備が移動時に通過する前記ハウジングの縁部において、前記回転可能な部材のそれぞれの上側部分は前記ハウジングの床材よりも上方に位置することを特徴とする請求項４に記載のシステム。
【請求項６】
ユーザの位置でハウジング中の対象物の保管を可能にするように、前記ユーザの位置までの輸送が可能に作られた前記ハウジング内に前記対象物をパッケージする方法であって、
複数のドアと前記ハウジングの床材を貫通する複数の開口部とを有する輸送コンテナを含むハウジングを供給する工程と、
機材の第１部分と、前記第１部分に先行する第２部分に沿って複数のキャリア部材を含む前記機材を提供する工程と、
前記キャリア部材が前記ハウジングの床材の前記開口部を通って受け入れられるように前記機材の第１部分の上に前記ハウジングを配置する工程であって、前記ハウジングが配置後に前記機材に支えられる工程と、
前記機材の第２部分のキャリア部材上に前記対象物を配置する工程と、
前記対象物に維持された力を印加する工程であって、前記力が前記複数のキャリア部材上で前記対象物を前記ハウジング内部方向に移動させる工程と、
前記対象物が完全に前記ハウジング内に配置された場合に、前記力の印加を停止する工程と、
前記ドアを確実に閉める工程と、
前記ハウジングが前記機材によって支えられないように前記機材から前記ハウジングを取り外す工程であって、次に、前記対象物が前記ハウジングによって支えられる工程と、を有し、
前記機材の取り外しの結果として、前記対象物の支持体は、前記機材の一部が挿入されて通過する前記ハウジングの床材中の開口部を閉鎖し、
前記ハウジングは、前記対象物が前記ハウジング内部に配置された後で前記対象物を輸送するために使用されるように構成されており、更に、前記対象物が前記ハウジング内部に配置されかつ前記対象物が使用場所にあるとき、前記ハウジングは前記対象物のための恒久的ハウジングとなるように構成されていることを特徴とする方法。
【請求項７】
前記ハウジング中に前記対象物を有する前記ハウジングを前記対象物が使用される位置まで輸送する工程と、
前記使用される位置で前記ハウジング中の前記対象物を恒久的に保管するために、前記ハウジング中に前記対象物を有する前記ハウジングを使用する工程と、を更に有することを特徴とする請求項６に記載の方法。
【発明の詳細な説明】
【技術分野】
【０００１】
本発明は、設備、オプションとしてプラント設備の燃料電池のバランス、とその支持体を収容し、それによりハウジングが最終目的地まで輸送して保管する間の該設備の収容容器の役割を果たすアセンブリに関する。
【背景技術】
【０００２】
燃料電池は、望ましくない放出を実際に行わず実質的に再生可能なエネルギー源を提供するデバイスである。また、燃料電池は高能率であり、それにより、エネルギー生産の費用効果の高い源であることが知られている。従って、病院、大学、ホテル、および異なる大きさのユーティリティなど多くのエネルギーを消費する場所では、ビルと施設を維持するために燃料電池の使用に魅力を感じている。
【発明の開示】
【発明が解決しようとする課題】
【０００３】
通常、燃料電池発電プラントは、モジュール中に据え付けられた一つまたはそれ以上の積層体中に配置された燃料電池と、燃料電池モジュールを作動するために必要な設備の残りであるいわゆる「プラント設備のバランス」とを含んでいる。「プラント設備のバランス」は、通常は、使用場所に設備を輸送するのを助ける支持体フレーム上に配置される。「プラント設備のバランス」の輸送は、金属容器中に設備を置くことによって達成される。これをするために、金属容器中に設備を積載するための様々な技術が使用されてきた。
【０００４】
１つの技術は、「プラント設備のバランス」がプラットホーム上のフレームによって積載され、次に、設備を含むプラットホームが、例えば、フォークリフトによって持ち上げられて、次に、コンテナ中に配置される手順を含んでいる。一旦コンテナ中に配置されると、設備はプラットホームから下ろされてプラットホームがコンテナから取り外され、それにより、設備がコンテナ中に残る。ユーザの場所では、「プラント設備のバランス」は、コンテナから取り外され、ユーザの場所で恒久的な収容器として機能するハウジング中に挿入される。
【０００５】
理解されるように、上記の実施において、「プラント設備の燃料電池バランス」とハウジングは、別々にユーザ位置まで輸送される。燃料電池メーカーの位置で設備とハウジングを一緒にパッケージする方法を提供することは、有利であると考えられる。この方法において、ハウジングは、ユーザの場所で恒久的なハウジングとなるとともに設備の輸送コンテナとして両方で機能することができる。
【０００６】
このことは、最終ユーザの場所でハウジング内の設備の別々のアセンブリとともに設備とハウジングの製造場所から別々に出荷することに関連する努力と費用を排除するだろう。したがって、重要な経済的利点をもたらすだろう。
【０００７】
したがって、設備の部品または複数の部品、特に、燃料電池のプラント設備のバランスを輸送することに対して、そのための工程を最小限に保つ代替アセンブリおよび方法を導入する機会が存在すると考えられる。
【課題を解決するための手段】
【０００８】
発明の要約
本明細書の以下に開示された本発明の実施例によると、上記機会は、ユーザの位置まで輸送して保管することが可能な設備の実質的に収容された設備の部品または複数の部品、オプションとしてプラント設備の燃料電池のバランス、を提供するシステムであって、前記システムは、機材と、前記機材に取りはずし可能に係合され、床に前記機材の複数の部分が通って挿入される複数の開口を有するハウジングとを有し、前記機材は、前記ハウジングを通って挿入された前記機材の複数の部分上でかつ前記ハウジングの内部と外部とに配置されたポイント間で前記機材の長手方向の軸に沿って、前記設備の移動を受け入れ、前記ハウジング内に挿入された前記機材の複数の部分は、前記設備が前記ハウジング内に配置された後で前記ハウジングから取り外される。このシステムのある実施例では、前記設備は支持体を含み、前記支持体は、前記ハウジング中に挿入された前記機材の複数の部分の上を移動し、前記支持体の取りはずし後に前記ハウジングを実質的にシールするのを助ける。
【０００９】
上記システムの実施は、対象物を、オプションとしてプラント設備の燃料電池バランスを、オプションとして標準の輸送コンテナの形態のハウジング内で、配置するのに使用可能な機材の使用を特に助ける。前記機材は、フレームを有し、前記フレームが、前記フレームに操作可能に連結され、間隔を開けて配置されている複数のキャリア部材を有し、前記複数のキャリア部材の合計数よりも少ないキャリア部材が、前記ハウジングの床によって画定され、該キャリア部材に対応した間隔をあけて配置されている複数の開口部を通過した受け入れに適合されており、前記複数のキャリア部材の残りのキャリア部材が、前記ハウジングの周辺から先に配置されており、前記キャリア部材が、前記ハウジングの前記周辺から先の地点から前記対象物が完全に前記ハウジング中に収容される地点まで前記対象物を支えて移送する。
【００１０】
プラント設備のバランスの保管を達成する際に使用するために想定されたハウジングは、既に説明されたように、実質的に標準の輸送コンテナの形態の任意のコンテナを引用して本明細書に記載されている。より詳しく述べると、そのようなコンテナは、上記説明されたように、機材のキャリア部材を含む複数の回転可能な部材と一致するように適合されかつ受け入れるコンテナの床中の複数の均等に間隔をあけて配置された複数の開口部を供給するために適合されたコンテナである。
【００１１】
上のシステムを使用する利点の方法可能する実現は本明細書の以下に記載される。
【発明を実施するための最良の形態】
【００１２】
本発明の上記および他の特徴と態様は、添付の図面に関連して以下の詳細な記載を読むことによりより明らかとなるであろう。
【００１３】
図１〜２参照すると、プラント設備の燃料電池バランス１２など実質的に囲われた設備の部品または複数の部品を提供するシステム１０が示されている。また、システム１０は、プラント設備の燃料電池バランス１２およびその支持体または保持装置１４をユーザの場所で恒久的に収容容器となるように意図されたハウジング１６中に収容されるのを可能にする。図示されているように、支持体１４は、燃料電池の構成成分２２を支える土台２０を提供する鋼製構造部材１８、１９のネットワークを含む。
【００１４】
ハウジング１６は、オプションとして国際標準化機構によって発表された寸法基準を実質的に満たす標準輸送コンテナを含む。図から分かるように、標準輸送コンテナ１６は、床材２５の一部として組み込まれた複数の間隔をあけて配置されている開口部２４を含むように適合されている。複数の開口部２４は、床材２５の向き合った側に列をなして配置され、以下で議論されるように、コンテナ１６内の支持体１４の配置で使用される機材２８のキャリア部材２７に、互いに間隔をあけているそれぞれの距離とサイズが対応している。開口部２４のそれぞれの列の反対側では、ガイドレール３０が、コンテナ１６中で支持体１４の配置を助けるためにコンテナの床材２５に取り付けられている。開口部２４の１つの列とガイドレール３０の１つだけが、コンテナの長手方向の軸に対して対称に与えられて示されている。
【００１５】
システム１０はさらに機材２８を含む。図２に最も明確に示されるように、機材２８は、足場フレーム部３２とコンテナフレーム部３４とを含む少なくとも２つの相互連結した構造用スチールフレーム部を含む。フレーム部３２、３４は、間隔をあけて配置されているいる向き合ったＩビーム部材７１、７２部分から形成され、Ｉビーム部材の前部と後部と中点は、さらにＩビーム部材７３、７４、７５、および７６によって連結されている。Ｉビーム部材７１〜７６は溶接によって互いに接合されている。
【００１６】
等間隔に間隔をあけて配置された一連のキャリア部材２６、２７が、それぞれの部分３２、３４の頂部に取り付けられている。キャリア部材２６、２７は、オプションとしてブラケット（腕木）に取り付けられた強健なローラーを含む、または、図６に示される実施例のボール移動システム３６が想定される。全体の記載から理解されるように、キャリア部材２６、２７は、コンテナ１６の周辺の外側の点からその内側３８まで、これらの構成成分が完全にその中に配置されるまで支持体１４とプラント設備の燃料電池バランス１２を支えながら移送する。複数のガイド４０は、オプションとして支持体部材１９と接触するように適合されたＬ形状ブラケットの形態で、足場フレーム部３２の頂部に提供される。ガイド４０は、実質的に割り当てられた方法で、支持体１４がコンテナ１６に向かって移動するのを確実にするのを助ける。
【００１７】
図２を続いて参照し、更に図３〜５を参照すると、コンテナ１６中の支持体１４と支えられたプラント設備の燃料電池バランス１２のアセンブリがさらによく理解され得る。方向矢印「Ａ」によって図２に示されるように、コンテナ１６は、様々な設備（図示せず）によって下向きに機材２８に向かって移動され、図３に示されるように、コンテナのフレーム部３４上に設置されることが想定される。
【００１８】
コンテナのフレーム部３４は、機材２８上のコンテナ１６の設置に方向付けを補助するために構成物がガイド４０と類似する少なくとも１組の設置ガイド４２を含む。
【００１９】
図３〜４を参照すると、コンテナ１６の設置を行うとき、キャリア部材２７を開口部中に収容し、キャリア部材２７がコンテナ１６の床材２５のわずか上方に延びるように、キャリア部材２７が様々な対応する開口部２４から「ａ」の場所でそれぞれ飛び出すことが理解される。キャリア部材２７の延びのため、コンテナフレーム部３４のキャリア部材２７の頂上部４４は、足場フレーム部３２のキャリア部材２６の頂上部４６と共有される軸「Ｘ」（コンテナ１６の長さ方向に平行な軸）に沿って配置される。したがって、コンテナフレーム部３４のキャリア部材２７上の足場フレーム部３２からコンテナ１６上でコンテナ１６の内部３８に向かう、プラント設備の燃料電池バランス１２と支持体１４の移動は、支持体１４のどちらかの側部上の「Ｘ」軸に沿って滑らかに起こる。
【００２０】
支持体１４が足場フレーム部３２のキャリア部材２６に支えられている間に、支持体１４に力をかけると、キャリア部材２６が支持体１４と燃料電池アセンブリ１２を矢印「Ｂ」で示される方向にコンテナ１６に向かって移送する。ガイド４０は、コンテナ１６の周辺でコンテナ１６と足場フレーム部３２との合流点を定める「ｂ」地点で、支持体基礎部材１９がキャリア部材２７によってしきいを横切ってキャリア部材２６にコンテナ１６に向かって中に乗るとき、支持体１４のたどられた動きを実質的に維持する。
【００２１】
支持体１４に連続して力をかけると、図４に示されるようなコンテナ１６内への完全な支持体１４の移動を可能にする。その後、コンテナー貨物ドア４８が閉じられる。図５を参照すると、コンテナー貨物ドア４８が閉じられると、コンテナ１６を機材２８から取り外す準備がなされる。機材２８上にコンテナ１６を設置する際に使用したのと同じ設備は、コンテナ１６を機材２８から取り除く際にも使用される。その取り外しは矢印「Ｃ」によって示される方向に起こり、ここで、コンテナ１６は機材２８と接触する部分から上向きに移動する。この上方の移動が起こると、重力が適切な支持体基礎部材１９の部分を動かして、キャリア部材２７によって占められていた開口部２４を覆う。次に、その結果として、装置は実質的にコンテナ１６内にシールされ、さまざまな位置での出荷と保管を利用可能とする。開口部２４を閉鎖するのに提供される支持体基礎部材１９の使用は、そのような閉鎖のために使用する追加構造が不要なので有利である。
【００２２】
図１〜５、９、特に、図９を参照すると、コンテナフレーム部３４のコーナー５２でコーナー５２と一体に形成されたツイストロック（コンテナ緊締部）５０が示されている。ツイストロック５０は、支持体１４をコンテナ１６中に移動してコンテナ１６を機材２８に固定するために主に、コンテナ１６のコーナー５４と係合可能である。機材２８からコンテナ１６を取り外す前に、ツイストロック５０は、そのような取り外しを可能にするように操作される。
【００２３】
従って、ユーザ位置まで輸送してユーザ位置に保管するプラント設備の燃料電池バランスなどの実質的に収容された設備の部品または複数の部品を提供するシステムを提供する。理解されるように、本発明のシステムと機材は、対象物または設備をある場所から別の場所まで移送しなければならないあらゆる種類の対象物または設備のために使用可能である。また、本システムと機材は、本機材とシステムを使用してハウジング中に対象物を収容し、ある場所に移送した後でハウジングから対象物を取り外すように意図された場所までハウジング中で移送するために使用可能である。そのような場合には、機材とシステムは、上記説明した手順の逆を使用してハウジングから対象物を取り除くための位置で使用することができる。
【００２４】
すべての場合において、上記説明された要旨は、本発明の応用を示す多くの可能な特定の実施例を単に例示していることが理解される。多くの変形された他の配置構成物は、本発明の趣旨と範囲から逸脱せずに、本発明の原理に基づいて容易に誘導され得る。
【図面の簡単な説明】
【００２５】
【図１】対象物を配置するために使用可能な機材、オプションとしてハウジング内でプラント設備の燃料電池バランスを保持する支持体、オプションとして機材の使用を可能にするための適合物を含む標準輸送コンテナの側部斜視図である。
【図２】プラント設備の燃料電池バランスおよび支持体、コンテナ、および機材のアセンブリおよび組立方法を示す分解組立図である。
【図３】プラント設備の燃料電池バランスを機材を使用してコンテナ中へ積載するのを示す側部斜視図である。
【図４】プラント設備の燃料電池バランスの積載が完了し、アセンブリが完全にコンテナ中に配置されていることを示す図３の側部斜視図である。
【図５】機材からプラント設備の燃料電池バランスとコンテナの組み合わせを取り外すのを示す側部斜視図であり、その後、設備はコンテナ中に実質的にシールされる。
【図６】機材とともに使用するために代替として設計された部分の断面図である。
【図７】図３の切り取った一部を示す側部斜視図であり、設備がコンテナの内部に向かって移動するようにセットされたときの機材上のプラント設備の燃料電池バランスの配置を示す図である。
【図８】図４の切り取った一部を示す側部斜視図であり、コンテナ内のプラント設備の燃料電池バランスの配置とコンテナから機材の取り外しの前を示す図である。
【図９】コンテナの機材への取付けを示す側部斜視図である。
【図１】
0005394232.tif 000002
【図２】
0005394232.tif 000003
【図３】
0005394232.tif 000004
【図４】
0005394232.tif 000005
【図５】
0005394232.tif 000006
【図６】
0005394232.tif 000007
【図７】
0005394232.tif 000008
【図８】
0005394232.tif 000009
【図９】
0005394232.tif 000010